(57)【要約】【課題】例えば、ブロック積み作業において、ブロックの孔にモルタルを流し込む場合、手首の負担を軽減し、作業効率を高めることができる掬い具を提供することを目的とする。【解決手段】側壁部と底部との内側面からなる凹部を具備する掬い部１０と、側壁部の外側面において凹部の開口方向とは反対側に傾斜するように設けられ、当該外側面に対して鈎状に屈曲した構造を具備する把手部１１とを有し、前記側壁部の外側面における把手部１１の取付位置に対して最短に位置する前記凹部の周縁部とこれに対向する前記凹部の周縁部とを結ぶ線分方向における前記凹部の両端部間の最大距離が、当該線分方向に対する直交方向における前記凹部の両端部間の最大距離よりも短いことを特徴とする。【選択図】図１
2007170146.tif 000002
【特許請求の範囲】
【請求項１】
側壁部と底部との内側面からなる凹部を具備する掬い部と、
前記側壁部の外側面において前記凹部の開口方向とは反対側に傾斜するように設けられ、当該外側面に対して鈎状に屈曲した構造を具備する把手部と、
を有し、前記側壁部の外側面における前記把手部の取付位置に対して最短に位置する前記凹部の周縁部とこれに対向する前記凹部の周縁部とを結ぶ線分方向における前記凹部の両端部間の最大距離が、当該線分方向に対する直交方向における前記凹部の両端部間の最大距離よりも短いことを特徴とする掬い具。
【請求項２】
側壁部と底部との内側面からなる凹部を具備する掬い部と、
前記側壁部の外側面において前記凹部の開口方向とは反対側に傾斜するように設けられている把手部と、
を有し、前記側壁部の外側面における前記把手部の取付位置に対して最短に位置する前記凹部の周縁部とこれに対向する前記凹部の周縁部とを結ぶ線分方向における前記凹部の両端部間の最大距離が、当該線分方向に対する直交方向における前記凹部の両端部間の最大距離よりも短いことを特徴とする掬い具。
【請求項３】
前記把手部は、前記線分方向及び前記直交方向に直交する方向に対して前記把手部の軸が３０度以内となる角度に設けられていることを特徴とする請求項１または請求項２に記載の掬い具。
【請求項４】
前記凹部の開口部は、略矩形状、略楕円形状、略ひし形状のいずれかの形状であることを特徴とする請求項１乃至請求項３のいずれか１項に記載の掬い具。
【請求項５】
前記凹部は、すり鉢状、バケット状のいずれかの凹部であることを特徴とする請求項１乃至請求項４のいずれか１項に記載の掬い具。
【発明の詳細な説明】
【技術分野】
【０００１】
本発明は、コンクリートブロックの組積作業においてコンクリートブロックの孔にモルタルを充填する場合や、鉢の植替えにおいて園芸用土を鉢に充填する場合等に使用するスコップ等の掬い具に関する。
【背景技術】
【０００２】
図５は、ブロック塀を設置する場合における作業状態を示す図である。
例えば、庭園の境界にブロック塀を設置する場合、図５に示すように、ブロック４００を一段づつ積んでいき、上下左右のブロック４００同士をくっ付けるために、ブロック４００同士の接合面には目地モルタル等の目地材料を載せていく。また、ブロック塀の強度を高めるために、ブロック４００の孔４０１に細い鉄筋を差し込み、細い鉄筋を差し込んだ孔４０１には、少し硬めに練った充愼モルタルであるモルタル３００を流し込む。
【０００３】
このようなブロック積み作業中において、ブロック４００の上面に目地モルタルを積層する場合には左官用コテ等を使用し、ブロック４００の孔４０１にモルタル３００を流し込む場合にはスコップ等を使用する（例えば、特許文献１）。
【０００４】
図５に示すように、スコップ５００を使用してブロック４００の孔４０１にモルタル３００を流し込む場合、作業者がスコップ５００の柄５０２を持ち、スコップ５００の掬い板５０１にモルタル３００を載せ、掬い板５０１の先端を所望の孔４０１に持っていく。続いて、作業者が手首を曲げることによって、柄５０２を掬い板５０１よりも高い位置にし、モルタル３００を掬い板５０１から孔４０１に流し込む。このように、作業者の手首の曲げを利用してスコップ５００でモルタル３００を孔４０１に流し込む。
【０００５】
例えば、作業者の目の高さよりも高いブロック塀を設置する場合において、作業者の目の高さより高い位置（上段）でスコップ５００を使用しブロック４００の孔４０１にモルタル３００を流し込む場合、スコップ５００が作業対象のブロック４００よりも高くなるように作業者が腕を上げ、その状態で柄５０２を掬い板５０１よりも高い位置にする必要がある。この場合には、図５に示すように、スコップ５００を持った手Ｍ１の手首を必要以上に曲げる必要がある。このため、そのような作業を繰り返すと、手首の負担が大きくなり、その結果、作業効率が低下するという問題があった。
【特許文献１】実開平０８−０００７０９号公報
【発明の開示】
【発明が解決しようとする課題】
【０００６】
本発明は、上記問題に鑑みてなされたものであり、例えば、ブロック積み作業において、ブロックの孔にモルタルを流し込む場合、手首の負担を軽減し、作業効率を高めることができる掬い具を提供することを目的とする。
【課題を解決するための手段】
【０００７】
本発明は、例えば、図１、２に示すように、側壁部と底部との内側面からなる凹部を具備する掬い部と、前記側壁部の外側面において前記凹部の開口方向とは反対側に傾斜するように設けられ、当該外側面に対して鈎状に屈曲した構造を具備する把手部とを有し、前記側壁部の外側面における前記把手部の取付位置に対して最短に位置する前記凹部の周縁部とこれに対向する前記凹部の周縁部とを最短で結ぶ線分方向における前記凹部の両端部間の最大距離が、当該線分方向に対する直交方向における前記凹部の両端部間の最大距離よりも短いことを特徴とする掬い具である。
【０００８】
また、本発明は、例えば、図１、２に示すように、側壁部と底部との内側面からなる凹部を具備する掬い部と、前記側壁部の外側面において前記凹部の開口方向とは反対側に傾斜するように設けられている把手部とを有し、前記側壁部の外側面における前記把手部の取付位置に対して最短に位置する前記凹部の周縁部とこれに対向する前記凹部の周縁部とを最短で結ぶ線分方向における前記凹部の両端部間の最大距離が、当該線分方向に対する直交方向における前記凹部の両端部間の最大距離よりも短いことを特徴とする掬い具である。
【０００９】
なお、前記把手部は、前記線分方向及び前記直交方向に直交する方向に対して前記把手部の軸が３０度以内となる角度に設けられていることを特徴とする。また、前記凹部の開口部を、略矩形状、略楕円形状、略ひし形状のいずれかの形状とし、前記凹部を、すり鉢状、バケット状のいずれかとすることができる。
【００１０】
また、本発明は、例えば、図１、２に示すように、側壁部と底部との内側面からなる凹部を具備し当該凹部の周縁部（開口部）が略矩形状である掬い部と、前記周縁部のうちの前記略矩形状の一の長辺に相当する縁部を形成する側壁部の外側面において前記凹部の開口方向とは反対側に傾斜するように設けられている把手部とを有する掬い具である。なお、把手部は、当該縁部の近くで（または当該縁部に接するように）当該一の長辺の中央付近に相当する部分に設けることが好ましい。また、把手部は、当該外側面に対して鈎状に屈曲した構造とすることができる。また、前記把手部は、開口面に対する垂直方向に対して前記把手部の軸が３０度以内となる角度に設けることが好ましい。
【００１１】
さらに、具体的に、本発明に係る掬い具は、モルタル等の液体状、半固体状、ペースト状等のものを前記凹部に収容するモルタル充填スコップ等の建築道具、大工道具、園芸道具等とすることができる。
【発明の効果】
【００１２】
本発明によれば、例えば、ブロック積み作業において、ブロックの孔にモルタルを流し込む場合、手首の負担を軽減し、作業効率を高めることができるという効果を奏する。また、本発明によれば、例えば、園芸作業において、鉢に園芸用土を入れる場合に、手首や肘、肩の負担を軽減し、作業効率を高めることができるという効果を奏する。
【発明を実施するための最良の形態】
【００１３】
以下、本発明の実施の形態である掬い具について、図面を参照して詳細に説明する。
【００１４】
［第１の実施の形態］
図１、２は、本発明の一実施の形態であるモルタル充填スコップ１００を示す図である。図１（１）は、モルタル充填スコップ１００を示す斜視図であり、図１（２）は、モルタル充填スコップ１００を示す右側面図であり、図２（１）は、モルタル充填スコップ１００を示す上面図であり、図２（２）は、モルタル充填スコップ１００を示す正面図である。
【００１５】
モルタル充填スコップ１００は、モルタル掬い部１０と把手部１１とを有する。
モルタル掬い部１０は、凹部と略矩形状の開口部１０ａ（周縁部１０ｂ）とを有し、モルタル等の液体状、顆粒状、粒状、粉状、半固体状、ペースト状等のものを凹部に収容するバケット型の掬い部である。モルタル掬い部１０の凹部は、側壁部と底部との内側面からなり、具体的には、帯状の円弧曲面１０ｃと、弧と弦とで構成される内側面１０ｄ１、２とから構成され、円弧曲面１０ｃの両側と内側面１０ｄ１、２の弧とが接し、円弧曲面１０ｃの両端と内側面１０ｄ１、２の弦とが周縁部１０ｂを構成する。なお、外側面１０ｅにおける把手部１１の取付位置に対して最短に位置する凹部の周縁部１０ｂ（連結部１１ａ付近）とこれに対向する凹部の周縁部１０ｂとを結ぶ線分方向における凹部の両端部間の最大距離が、当該線分方向に対する直交方向における凹部の両端部間の最大距離よりも短い。つまり、把手部１１の延長方向における凹部の両端部間の最大距離が、当該延長方向に対する直交方向における凹部の両端部間の最大距離よりも短い。
【００１６】
把手部１１は、側壁部の外周面１０ｅに開口部１０ａとは反対側に傾斜するように設けられ、外周面１０ｅに対して鈎状（鉤状）に屈曲した構造を備えている把手部である。また、把手部１１の連結部１１ａが弧状となっている。把手部１１の先端部１１ｂは、図１（２）、図２（２）に示す状態において、モルタル掬い部１０の底部１０ｆよりも下に長く延びている。また、把手部１１は、開口部１０ａを構成する開口面に対して鋭角の傾斜角度αを形成する。なお、把手部１１は、前記線分方向及び前記直交方向に直交する方向（開口面に対して垂直方向）に対して把手部１１の軸が３０度以内となる角度に設けることが好ましい。
【００１７】
なお、傾斜角度αの値が９０度を超えると、把手部１１と外周面１０ｅとの間に手が入り難くなり、一方、傾斜角度αが小さ過ぎると、使用効率が悪くなる。このため、傾斜角度αを６０°〜８５°位とすることが好ましい。また、側壁部の外周面１０ｅにおいて、把手部１１を周縁部１０ｂと接するように設けるようにしてもよく、周縁部１０ｂから離して設けるようにしてもよい。
【００１８】
モルタル充填スコップ１００の材質としては、スチール、ステンレス、ポリカーボネイト、プラスチック、ガラス、陶器等を使用することができ、これらの材料によって形成することができる。また、モルタル掬い部１０と把手部１１とを同一材料とする他に、それぞれを異なる材料として構成することができ、一体または別体で構成することができる。なお、凹部に収容するモルタル等の量を計測する目盛を凹部の内側面に設けるようにしてもよい。例えば、内側面１０ｄ１、２のいずれかに目盛を設ける。また、凹部に収容したモルタル等を容易に目視することができるように、凹部の側壁部と底部との少なくとも一部（例えば、目盛部分）を透明とするようにしてもよい。
【００１９】
次に、モルタル充填スコップ１００の使用方法について説明する。
図３は、モルタル充填スコップ１００とモルタル箱２００とモルタル３００とブロック４００とを示す図である。
【００２０】
モルタル箱２００は、モルタル３００を収容する容器である。モルタル３００は、ブロック４００の孔４０１に流し込むために使用するモルタルであって少し硬めに練った充愼モルタルである。
【００２１】
モルタル充填スコップ１００を使用してブロック４００の孔４０１にモルタル３００を流し込む場合、作業者がモルタル充填スコップ１００の把手部１１を手Ｍ１で持ち、図３（１）に示すモルタル箱２００内のモルタル３００をモルタル掬い部１０に掬い取る。続いて、モルタル掬い部１０のいずれかの端部（略矩形状の一の短辺に相当する縁部）を所望の孔４０１に持っていき、把手部１１を持った手Ｍ１の手首を作業者が回転することによって、モルタル３００をモルタル掬い部１０から孔４０１に流し込む。この場合、作業者の手首の回転を利用するので、作業者が手首を必要以上に曲げる必要がない。
【００２２】
また、作業者の目の高さよりも高いブロック塀を設置する場合において、作業者の目の高さより高い位置（上段）でモルタル充填スコップ１００を使用しブロック４００の孔４０１にモルタル３００を流し込む場合、モルタル充填スコップ１００が作業対象のブロック４００よりも高くなるように作業者が腕を上げ、その状態で把手部１１を持った手Ｍ１の手首を作業者が回転するだけでよい。つまり、図５に示すスコップ５００を使用する場合と比較して、モルタル充填スコップ１００を持った手Ｍ１の手首を必要以上に曲げる必要がないので、手首の負担を軽減し、作業効率を高めることができる。
【００２３】
ところで、従来は、図５に示すスコップ５００の掬い板５０１の先端が丸み形状のため、スコップ５００でモルタル箱２００の四隅に残ったモルタル３００を掬い取ることが困難であった。しかし、本実施の形態によれば、モルタル箱２００内のモルタル３００を掬い取る場合に、図３（２）に示すように、モルタル箱２００の壁面（内側面）を利用してモルタル３００を掬い取ることができるので、モルタル３００をモルタル掬い部１０に掬い易い。さらに、モルタル掬い部１０の開口部１０ａの四隅を直角（または略直角）にすれば、モルタル箱２００にモルタル３００が残り少なくなった場合であっても、図３（２）に示すように、モルタル掬い部１０の周縁部１０ｂをモルタル箱２００の壁面と四隅に接することができるので、モルタル箱２００内のモルタル３００を隅々まで掬い取ることができる。つまり、モルタル充填スコップ１００を使用することによって、モルタル箱２００内にあるモルタル３００を四隅等に残すことなく掬い取ることができる。
【００２４】
また、モルタル３００をモルタル掬い部１０から孔４０１に流し込む場合に、開口部１０ａの四隅のうちの１から流し込むようにすれば、孔の径が小さくても流し込み易い。
【００２５】
なお、モルタル掬い部１０の開口部１０ａを、ひし形状、楕円状、円形状等の略矩形状以外の形状とするようにしてもよい。また、モルタル掬い部１０の凹部を、すり鉢状等の他の凹部とするようにしてもよい。なお、モルタル掬い部１０の凹部については、凹部内に収容されたモルタル等を流し易くするために、図２（２）に示すように、把手部１１の取付部分に対して、弧状とすることが好ましい。
【００２６】
さらに、把手部１１について、連結部を細いスチール製とし、把手部１１本体を木製とする等のようにしてもよい。また、モルタル充填スコップ１００の材質として、他の材料を使用することができ、モルタル掬い部１０と把手部１１とを同一材料または異なる材料として構成することができる。
【００２７】
［第２の実施の形態］
図４は、園芸スコップ１００ａを使用して、鉢収容箱６００内の鉢７００に園芸用土７０１を入れている状態を示す図である。
【００２８】
園芸スコップ１００ａの構造は、モルタル充填スコップ１００と同様である。
図４に示すように、鉢７００の内寸法よりも植物Ｆ１の葉が大きい場合や、植物Ｆ１の葉が鉢７００からはみ出しているような場合において、従来のスコップを使用して鉢７００に園芸用土７０１を入れる場合、その都度手首を曲げる必要がある。また、この場合には、低い姿勢で手首を曲げるために、作業者の肘が目線の高さよりも上となる場合がある。このため、作業中において、作業者の手首や肘、肩が不自然な動きをすることが多くなる。その結果、鉢７００に園芸用土７０１を入れる作業が手首や肘、肩の負担になるという問題があった。
【００２９】
園芸スコップ１００ａの構造は、主に手首の回転のみで園芸用土等を掬うことができる構造であるので、モルタルと同様に、園芸用土等を掬い易い。また、園芸スコップ１００ａを使用して鉢７００に園芸用土７０１を入れる場合には、主に手首の回転によって園芸用土７０１を入れることができる。したがって、鉢７００に園芸用土７０１を入れる作業において、手首や肘、肩の負担を軽減することができる。
【００３０】
また、葉が多い植物の鉢の植替えをする場合であっても、鉢からはみ出している葉等の隙間を園芸スコップ１００ａがスルーし易いので、鉢の植替え作業を効率的に行うことができる。
【実施例１】
【００３１】
次に、本発明の一実施例である実施例１について説明する。
モルタル充填スコップ１００において、開口部１０ａを「２０ｃｍ×６ｃｍ」とし、凹部の深さを「５ｃｍ」とし、把手部１１を「１３ｃｍ」とし、傾斜角度αを「８０°」とした。これらの構成によって、上記各実施の形態で示した効果を得ることができた。
【産業上の利用可能性】
【００３２】
液体状、顆粒状、粒状、粉状、半固体状、ペースト状等のものを孔等に充填するスコップ等に、本発明を利用することができる。つまり、モルタル充填スコップ１００や園芸スコップ１００ａで示すように、液体状、顆粒状、粒状、粉状、半固体状、ペースト状等のものを正面から掬い取り、掬い取ったものを横から流し込む建築道具、大工道具、園芸道具等に効果を発揮する。
【図面の簡単な説明】
【００３３】
【図１】モルタル充填スコップ１００を示す図。
【図２】モルタル充填スコップ１００を示す図。
【図３】モルタル充填スコップ１００とモルタル箱２００とモルタル３００とブロック４００とを示す図。
【図４】園芸スコップ１００ａを使用して、鉢収容箱６００内の鉢７００に園芸用土７０１を入れている状態を示す図。
【図５】ブロック塀を設置する場合における作業状態を示す図。
【符号の説明】
【００３４】
１０……モルタル掬い部、
１１……把手部、
１００……モルタル充填スコップ、
２００……モルタル箱、
３００……モルタル、
４００……ブロック。
【図１】
2007170146.tif 000003
【図２】
2007170146.tif 000004
【図３】
2007170146.tif 000005
【図４】
2007170146.tif 000006
【図５】
2007170146.tif 000007
【手続補正書】
【提出日】平成18年2月3日(2006.2.3)
【手続補正１】
【補正対象書類名】特許請求の範囲
【補正対象項目名】全文
【補正方法】変更
【補正の内容】
【特許請求の範囲】
【請求項１】
側壁部と底部との内側面からなる凹部を具備する掬い部と、
前記側壁部の外側面において前記凹部の開口方向とは反対側に傾斜するように設けられ、当該外側面に対して鈎状に屈曲した構造を具備する把手部と、
を有し、前記側壁部の外側面における前記把手部の取付位置に対して最短に位置する前記凹部の周縁部とこれに対向する前記凹部の周縁部とを結ぶ線分方向における前記凹部の両端部間の最大距離が、当該線分方向に対する直交方向における前記凹部の両端部間の最大距離よりも短いことを特徴とする掬い具。
【請求項２】
側壁部と底部との内側面からなる凹部を具備する掬い部と、
前記側壁部の外側面において前記凹部の開口方向とは反対側に傾斜するように設けられている把手部と、
を有し、前記側壁部の外側面における前記把手部の取付位置に対して最短に位置する前記凹部の周縁部とこれに対向する前記凹部の周縁部とを結ぶ線分方向における前記凹部の両端部間の最大距離が、当該線分方向に対する直交方向における前記凹部の両端部間の最大距離よりも短いことを特徴とする掬い具。
【請求項３】
前記把手部は、前記線分方向及び前記直交方向に直交する方向に対して前記把手部の軸が３０度以内となる角度に設けられていることを特徴とする請求項１または請求項２に記載の掬い具。
【請求項４】
前記凹部の開口部は、略矩形状、略楕円形状、略ひし形状のいずれかの形状であることを特徴とする請求項１乃至請求項３のいずれか１項に記載の掬い具。
【請求項５】
側壁部と底部との内側面からなる凹部を具備し当該凹部の周縁部が略矩形状である掬い部と、
前記周縁部のうちの前記略矩形状の一の長辺に相当する縁部を形成する側壁部の外側面において前記凹部の開口方向とは反対側に傾斜するように設けられている把手部と、
を有することを特徴とする掬い具。
【請求項６】
前記凹部は、すり鉢状、バケット状のいずれかの凹部であることを特徴とする請求項１乃至請求項５のいずれか１項に記載の掬い具。
【手続補正書】
【提出日】平成18年5月8日(2006.5.8)
【手続補正１】
【補正対象書類名】特許請求の範囲
【補正対象項目名】全文
【補正方法】変更
【補正の内容】
【特許請求の範囲】
【請求項１】
側壁部と底部との内側面からなる凹部を具備する掬い部と、
前記側壁部の外側面において前記凹部の開口方向とは反対側に傾斜するように設けられている把手部と、
を有し、前記側壁部の外側面における前記把手部の取付位置に対して最短に位置する前記凹部の周縁部とこれに対向する前記凹部の周縁部とを結ぶ線分方向における前記凹部の両端部間の最大距離が、当該線分方向に対する直交方向における前記凹部の両端部間の最大距離よりも短く、前記直交方向における前記凹部の両端部間を結ぶ面が円弧状の曲面であることを特徴とする掬い具。
【請求項２】
側壁部と底部との内側面からなる凹部を具備する掬い部と、
前記側壁部の外側面において前記凹部の開口方向とは反対側に傾斜するように設けられ、先端部が前記掬い部の底部よりも長く延びている把手部と、
を有し、前記側壁部の外側面における前記把手部の取付位置に対して最短に位置する前記凹部の周縁部とこれに対向する前記凹部の周縁部とを結ぶ線分方向における前記凹部の両端部間の最大距離が、当該線分方向に対する直交方向における前記凹部の両端部間の最大距離よりも短いことを特徴とする掬い具。
【請求項３】
前記把手部は、前記線分方向及び前記直交方向に直交する方向に対して前記把手部の軸が３０度以内となる角度に設けられていることを特徴とする請求項１または請求項２に記載の掬い具。
【請求項４】
前記凹部の開口部は、略矩形状、略楕円形状、略ひし形状のいずれかの形状であることを特徴とする請求項１乃至請求項３のいずれか１項に記載の掬い具。
【請求項５】
側壁部と底部との内側面からなる凹部を具備し当該凹部の周縁部が略矩形状である掬い部と、
前記周縁部のうちの前記略矩形状の一の長辺に相当する縁部を形成する側壁部の外側面において前記凹部の開口方向とは反対側に傾斜するように設けられている把手部と、
を有することを特徴とする掬い具。
【請求項６】
前記把手部は、前記凹部の開口面に対する垂直方向に対して前記把手部の軸が３０度以内となる角度に設けられていることを特徴とする請求項５に記載の掬い具。
【請求項７】
前記周縁部のうちの前記略矩形状の短辺に相当する縁部間を結ぶ面が円弧状の曲面であることを特徴とする請求項５または請求項６に記載の掬い具。
【請求項８】
前記把手部は、先端部が前記掬い部の底部よりも長く延びていることを特徴とする請求項５乃至請求項７のいずれか１項に記載の掬い具。
【請求項９】
前記凹部は、すり鉢状、バケット状のいずれかの凹部であることを特徴とする請求項１乃至請求項８のいずれか１項に記載の掬い具。
【請求項１０】
前記把手部は、前記側壁部の外側面に対して鈎状に屈曲した構造を具備することを特徴とする請求項１乃至請求項９のいずれか１項に記載の掬い具。
【請求項１１】
前記掬い具は、モルタル充填スコップまたは園芸スコップであることを特徴とする請求項１乃至請求項１０のいずれか１項に記載の掬い具。
【手続補正２】
【補正対象書類名】明細書
【補正対象項目名】０００９
【補正方法】変更
【補正の内容】
【０００９】
なお、前記直交方向における前記凹部の両端部間を結ぶ面が円弧状の曲面であることを特徴とする。また、前記把手部の先端部が前記掬い部の底部よりも長く延びていることを特徴とする。前記把手部は、前記線分方向及び前記直交方向に直交する方向に対して前記把手部の軸が３０度以内となる角度に設けることが好ましい。また、前記凹部の開口部を、略矩形状、略楕円形状、略ひし形状のいずれかの形状とし、前記凹部を、すり鉢状、バケット状のいずれかとすることができる。